(57)【特許請求の範囲】
【請求項１】
汚染された土壌を浄化するための土壌浄化剤であって、鉄粉、又は分散状態の鉄粉を含む鉄粉水性懸濁液と、増粘剤としてのモンモリロナイト系粘土鉱物が水中に分散されてなるモンモリロナイト系粘土鉱物水性懸濁液とを含み、
モンモリロナイト系粘土鉱物水性懸濁液が、さらに当該懸濁液を増粘させることができる添加剤を含み、
添加剤が、ＦｅＣｌ２、ＦｅＣｌ３、ＦｅＳＯ４、及びＦｅ２（ＳＯ４）３から選択される少なくとも１種の鉄化合物である土壌浄化剤。
【請求項２】
モンモリロナイト系粘土鉱物が、ベントナイト又は合成スメクタイトである請求項１に記載の土壌浄化剤。
【請求項３】
鉄粉の平均粒径が１０〜２００μｍである請求項１又は２に記載の土壌浄化剤。
【請求項４】
モンモリロナイト系粘土鉱物水性懸濁液の粘度が２５℃で２００〜４００ｍＰａ・ｓである請求項１〜３のいずれか１項に土壌浄化剤。
【請求項５】
前記汚染された土壌の汚染物質が、有機ハロゲン化物及び／又は６価クロムである請求項１〜４のいずれかに記載の土壌浄化剤。
【請求項６】
前記汚染された土壌の汚染物質が、有機ハロゲン化物である請求項１〜５のいずれかに記載の土壌浄化剤。
【請求項７】
請求項１〜６のいずれかに記載の土壌浄化剤に記載された、鉄粉又は鉄粉水性懸濁液とモンモリロナイト系粘土鉱物水性懸濁液との混合物からなる土壌浄化剤。
【請求項８】
鉄粉の含有量が１０〜５０質量％であり、モンモリロナイト系粘土鉱物の含有量が０．３〜５質量％である請求項７に記載の土壌浄化剤。
【請求項９】
粘度が２５℃で２００〜４００ｍＰａ・ｓである請求項７又は８に土壌浄化剤。
【請求項１０】
請求項１〜６のいずれかに記載の土壌浄化剤に記載された、鉄粉又は鉄粉水性懸濁液とモンモリロナイト系粘土鉱物水性懸濁液とを混合し、該混合物を汚染された土壌に浸透させることからなる土壌浄化方法。
【請求項１１】
前記土壌浄化剤の浸透を、土壌浄化剤を土壌表面の略全面に散布することにより行う請求項１０に記載の土壌浄化方法。
【請求項１２】
前記土壌浄化剤の浸透を、前記混合物を供給するための注入管を挿入し、該混合物をその注入管に注入することにより行う請求項１０に記載の土壌浄化方法。
【請求項１３】
前記土壌浄化剤の浸透を、前記混合物を、地盤改良用の施工機械で土壌中に供給し、前記混合物と該土壌とを撹拌することにより行う請求項１０に記載の土壌浄化方法。
【発明の詳細な説明】
【技術分野】
【０００１】
本発明は、有機ハロゲン化物、６価クロム等により汚染された土壌から該汚染物質を分解・無害化するために使用される土壌浄化剤、並びに汚染された土壌を浄化する方法に関する。
【背景技術】
【０００２】
機械類の油類除去等の工業的な洗浄には、これまでトリクロロエチレン等の有機塩素系化合物が大量に使用されてきた。現在では環境汚染の観点から、このような有機塩素系化合物の使用が規制されている。しかしながら、既に多量の有機塩素系化合物が使用されており、このためその土壌汚染あるいは水質汚染も進んでいる。即ち、トリクロロエチレン等の有機塩素系化合物は、安定で微生物に分解され難く、自然環境に投棄された有機塩素系化合物は、土壌を汚染するだけでなく、最終的には河川や地下水を汚染し、これが飲料水の原水となることがあり、問題となる。
【０００３】
上記有機塩素系化合物等の揮発性の有機化合物で汚染された土壌を浄化する方法としては、従来から、土壌ガス吸引法、地下水揚水法、土壌掘削法等が知られている。土壌ガス吸引法は、不飽和帯に存在する対象物質を強制的に吸引するものであり、ボーリングにより地盤中に吸引用井戸を設置し、真空ポンプによって吸引用井戸内を減圧にし、気化した有機化合物を吸引井戸内に集め、地下に導いて土壌ガス中の有機化合物を活性炭に吸着させるなどの方法によって処理するものである。上記有機化合物による汚染が帯水層にまで及んでいる場合には、吸引用井戸内に水中ポンプを設置し、土壌ガスと同時に揚水して処理する方法が採用される。
【０００４】
地下水揚水法は、土壌中に揚水井戸を設置し、汚染地下水を揚水して処理する方法である。さらに、土壌掘削法は、汚染土壌を掘削し、掘削した土壌を風力乾燥、加熱処理を施して有機化合物の除去回収を行う方法である。
【０００５】
しかしながら、これらの方法は、土壌を直接浄化する方法ではなく、上記土壌ガス吸引法、地下水揚水法等により集められた汚染水、あるいは河川、地下水等の汚染水を浄化する方法であり、対象は極めて大量であり、処理は長期間を要する場合が多い。また処理工程が複雑となる場合が多いのも欠点である。このため、汚染源である土壌を直接簡便に浄化する方法が求められている。
【０００６】
上記直接浄化可能な方法に用いられる浄化剤として、例えば、特許文献１（国際公開第２００１−０８８２５号公報）に、粒径１０μｍ未満の球状の鉄微粒子スラリーからなる土壌浄化剤が開示されている。すなわち、鉄粒子を微粒することにより、鉄の表面積を大きくして汚染物質の処理能力を増大させ、また微粒化に加え、粒子の形を球状にすることにより土壌内への鉄の迅速な浸透を可能にしている。
【０００７】
特許文献１に記載のような鉄粉スラリーは、鉄粉自体、比重が高いため沈降しやすく良好な分散状態の鉄粉スラリーを得難いとの問題がある。このため、鉄粉スラリーを良好な分散状態とするために、増粘剤が添加されることが一般的である。例えば、特許文献２（特開２００６−２７２０６８号公報）には、土壌浄化剤の増粘剤として、グアガム、キトサン、キサンタンガム、アルギン酸塩等の多糖類が使用されている。
【先行技術文献】
【特許文献】
【０００８】
【特許文献１】国際公開第２００１−０８８２５号公報
【特許文献２】特開２００６−２７２０６８号公報
【発明の概要】
【発明が解決しようとする課題】
【０００９】
本発明者の検討によれば、鉄粉スラリーを良好な分散状態とするために、特許文献２等に記載のグアガム等の多糖類を使用した場合、保存中に多糖類が腐敗等により劣化し、腐敗による悪臭が発生するだけでなく、肝心の増粘作用が得られなくなるとの問題があることが明らかとなった。また、増粘作用が得られない場合、汚染土壌に浄化剤を注入した際、浄化剤の汚染土壌への均一な浸透も阻害されるとの問題もある。
【００１０】
従って、本発明の目的は、有機ハロゲン化物、６価クロム等の汚染物質により汚染された土壌から、直接、効率よくこの汚染物質を還元することにより無毒化、或いは無毒化後除去することができる鉄粉スラリーを含む土壌浄化剤であって、鉄粉の良好な分散状態が長期にわたって得ることができる土壌浄化剤を提供することにある。
【００１１】
また、本発明の目的は、鉄粉スラリーの土壌浄化剤であって、鉄粉の良好な分散状態が長期にわたって得ることができる土壌浄化剤を調製することができる２液タイプの土壌浄化剤を提供することにある。
【００１２】
従って、本発明の目的は、上記２液タイプの土壌浄化剤を用いて、有機ハロゲン化物、６価クロム等で汚染された土壌を、掘削等行うことなく、撹拌により効率よく原位置で浄化処理する方法を提供することにある。
【課題を解決するための手段】
【００１３】
従って、前記の目的は、汚染された土壌を浄化するための土壌浄化剤であって、鉄粉、又は分散状態の鉄粉を含む鉄粉水性懸濁液と、増粘剤としてのモンモリロナイト系粘土鉱物が水中に分散されてなるモンモリロナイト系粘土鉱物水性懸濁液とを含み、モンモリロナイト系粘土鉱物水性懸濁液が、さらに当該懸濁液を増粘させることができる添加剤を含み、添加剤が、ＦｅＣｌ２、ＦｅＣｌ３、ＦｅＳＯ４、及びＦｅ２（ＳＯ４）３から選択される少なくとも１種の鉄化合物である土壌浄化剤により達成することができる。これにより、少量のベントナイトで大きな増粘効果を得ることができる。また、ベントナイトのｐＨを浄化に好適な中性域にシフトすることができる。
【００１４】
本発明のモンモリロナイト系粘土鉱物は、モンモリロン石群鉱物及び合成モンモリロン石群鉱物を含むものである。
【００１５】
上記土壌浄化剤の好ましい態様を以下に列記する。
【００１６】
（１）モンモリロナイト系粘土鉱物が、ベントナイト又は合成スメクタイトである。
【００１９】
（２）鉄粉の平均粒径が１〜５００μｍ、特に１０〜２００μｍである。鉄粉は平均粒径が大きいほどスラリー中で沈降しやすいので、本願発明の増粘剤は比較的大きい粒径の鉄粉に特に有効である。
【００２０】
（３）汚染された土壌の汚染物質が、有機ハロゲン化物及び／または６価クロム、特に有機ハロゲン化物であり、中でも揮発性有機塩素化合物（ＣＶＯＣ）ある。鉄粉の還元作用は還元され得る汚染物質、有機ハロゲン化物に特に有効であるが、６価クロムに対しても有効である。
【００２１】
本発明は、上記の土壌浄化剤に記載された、鉄粉又は鉄粉の水性懸濁液とモンモリロナイト系粘土鉱物水性懸濁液との混合物からなる土壌浄化剤にもある。
【００２２】
上記土壌浄化剤の好ましい態様を以下に列記する。
【００２３】
（１）鉄粉の濃度が１０〜５０質量％であり、ベントナイトの濃度が０．３〜５質量％である。効率の良い増粘効果が得られる。
【００２４】
（２）粘度が２５℃で２００〜４００ｍＰａ・ｓである。沈降を防止し、汚染土壌への注入等を行う施工機械に、鉄粉懸濁液を均一な濃度でポンプ圧送するために好適な粘度である。
【００２５】
本発明は、前記２液タイプの土壌浄化剤に記載された、鉄粉又は鉄粉の水性懸濁液とモンモリロナイト系粘土鉱物水性懸濁液とを混合し、該混合物を汚染された土壌に浸透させることからなる土壌浄化方法にもある。
【００２６】
上記土壌浄化方法の好ましい態様を以下に列記する。
【００２７】
（１）土壌浄化剤の浸透を、土壌浄化剤を土壌表面の略全面に散布することにより行う。
【００２８】
（２）前記土壌浄化剤の浸透を、前記混合物を供給するための注入管を挿入し、該混合物をその注入管に注入することにより行う。あるいは
前記土壌浄化剤の浸透を、前記混合物を、地盤改良用の施工機械で土壌中に供給し、前記混合物と該土壌とを撹拌することにより行う。
【発明の効果】
【００２９】
本発明の土壌浄化剤は、汚染物質の除去のために鉄粉を主として用い、鉄粉の良好な分散安定性を得るために増粘剤としてベントナイトを用いている。これにより、多糖類のように腐敗等により悪臭の発生や、劣化が起こらないため、良好な粘度に安定化された土壌浄化剤を長期に安定して使用することができ、また、安定した土壌効果も長期に得ることができる。特に、ベントナイトの増粘効果を上げるために鉄化合物等の酸性の添加剤を用いることにより、少量のベントナイトで効率よく増粘効果を得ることができるため、増粘剤の量が抑えられ、鉄による浄化効果も得られやすい。また、酸性の添加剤を用いることによりｐＨを鉄粉による浄化に好適な中性域にシフトすることも可能である。
【００３０】
本発明の良好な粘度に安定化された土壌浄化剤を汚染土壌に直接注入した場合、比較的浸透しやすい砂質層等だけでなく、シルト層や粘土層、関東ローム層等に鉄粉を均一に導入することができるため、有機塩素系化合物等の汚染物質の無害化を充分行うことができる。
【図面の簡単な説明】
【００３１】
【図１】図１は、本発明の浄化方法の実施形態の例を示す断面図である。
【図２】図２は、実施例の表１及び表２に示した各増粘剤の濃度に対する粘度のグラフである。
【図３】図３は、実施例の表３〜１０のクニピアＦの濃度が２．５質量％における、各添加剤の濃度と粘度の関係を示すグラフである。
【図４】図４は、実施例の表３〜１０のクニピアＦの濃度が２．５質量％における、各添加剤を添加したモンモリロナイト系粘土鉱物水性懸濁液（添加剤調製時）のｐＨと粘度の関係を示すグラフである。
【図５】図５は、実施例の表１１〜１３のクニピアＦの濃度が１．０質量％、１．５質量％、２．５質量％における、塩化第一鉄の濃度と粘度の関係を示すグラフである。
【図６】図６は、実施例の表１４〜１６のクニピアＦの濃度が１．０質量％、１．５質量％、２．５質量％における、硫酸第一鉄の濃度と粘度の関係を示すグラフである。
【図７】図７は実施例の表１７の各浄化液による、トリクロロエチレン（ＴＣＥ）濃度の経過日数に対する変化を示すグラフである。
【発明を実施するための形態】
【００３２】
本発明の土壌浄化剤は、鉄粉又は鉄粉が水中に分散されてなる鉄粉水性懸濁液と、増粘剤としてのベントナイトが水中に分散されてなるモンモリロナイト系粘土鉱物水性懸濁液とからなるものであり、またこれらの鉄粉又は鉄粉水性懸濁液とモンモリロナイト系粘土鉱物水性懸濁液の混合物である。すなわち、本発明の土壌浄化剤は、一般に、モンモリロナイト系粘土鉱物水性懸濁液とを調製し、使用される際鉄粉をモンモリロナイト系粘土鉱物水性懸濁液に加えて混合して使用するか、あるいは鉄粉水性懸濁液とモンモリロナイト系粘土鉱物水性懸濁液とをそれぞれ調製し、使用される際これらを混合して用いる。このため、使用される前は、一般にモンモリロナイト系粘土鉱物はその水性懸濁液として保存される。この増粘剤は無機物であるため、長期保存しても腐敗して、増粘効果が低下することはない。本発明の土壌浄化剤は、上記増粘剤により鉄による浄化効果も得られやすいことから、汚染土壌から汚染物質を還元等により無毒化、或いは無毒化後除去するために有用であり、また作業性においても優れたものである。
【００３３】
本発明の浄化の対象となる汚染源として、有機ハロゲン化物、６価クロム、シアン化物を挙げることができ、有機ハロゲン化物、６価クロムが適当であり、特に有機ハロゲン化物適当である。有機ハロゲン化物の例としては、塩化ビニル、１，１−ジクロロエチレン、１，２−ジクロロエチレン、トリクロロエチレン、テトラクロロエチレン、ジクロロメタン、四塩化炭素、１，２−ジクロロメタン、１，１，１−トリクロロエタン、１，１，２−トリクロロエタン、１，１，２，２−テトラクロロエタン、ジクロロジフルオロエタン等を挙げることができる。これらの有機ハロゲン化物は、鉄の脱ハロゲン化作用（還元作用）により、ハロゲンを失って対応する炭化水素となり、土壌より除去されると考えられる。有機ハロゲン化物としては、有機塩化物（なかでも揮発性有機塩素化合物（ＣＶＯＣ））に特に有効である。また、６価クロムは、長期間に亘る有効な鉄の還元作用により、効率良く３価クロムに還元することができ、その後必要により土壌より除去することができる。さらに、シアン化物（シアンイオン）は、鉄イオンと錯体を形成して無毒化される。
【００３４】
本発明の土壌浄化剤に使用されるスラリーに含まれる鉄粉は、どのような鉄粉でも使用することができる。鉄粉の平均粒径は一般に１μｍ以上であり、１〜５００μｍが好ましく、さらに１０〜５００μｍ、特に１０〜２００μｍが好ましい。このような鉄粉は、平均粒径が小さいほど洗浄力の向上が図れるが、粉塵爆発等の危険があるため取扱いが難しいこと、また小さいほど高価になるため、また大きすぎると沈降しやすくなることから、やや大きい、特に１０〜２００μｍが好ましい。また、この範囲において、本発明の増粘剤が特に有効となる。
【００３５】
また、本発明の土壌浄化剤の鉄粉水性懸濁液中の鉄粉の含有量は１０〜７０質量％、特に２０〜５０質量％が好ましい。モンモリロナイト系粘土鉱物水性懸濁液と混合後の鉄粉水性懸濁液(すなわち、土壌に注入時の液) 中の鉄粉の含有量は、０．１〜５０質量％、特に５〜３０質量％が好ましい。鉄粉は金属鉄及び鉄含有化合物を主成分とするが、鉄粉のうち金属鉄が５０質量％以上占めることが好ましい。鉄含有化合物は、主として、Ｆｅ２Ｏ３、ＦｅＯ、ＦｅＯ２等の酸化鉄である。鉄粉は、他の成分として、イオウ、ＣａＯ、ＳｉＯ２等を微量含んでいてもよい。
【００３６】
鉄粉は、上記平均粒径等を満たすものであればどのようなものでも使用することができる。使用可能な鉄粉として、市販の各種鉄粉を使用することができる。例えば、ＪＥＦミネラル(株)、(株)神戸製鋼所、ＤＯＷＡエコシステム(株)等から販売されている鉄粉剤、特に土壌浄化用鉄粉剤を挙げることができる。鉄粉水性懸濁液は、一般に、上記鉄粉(鉄粉)を水(所望により下記の添加剤を含有してもよい)に分散させることにより得ることができる。
【００３７】
鉄粉水性懸濁液(鉄粉スラリー)は、例えば、製鋼用の酸素吹転炉から、精錬中に発生する排ガス中の製鋼ダストを集塵（好ましくは湿式集塵）し、炭酸ガス等のガスを除去することにより得られる製鋼ダストからなるスラリーを有利に利用することができる。通常、集塵後、上記製鋼ダストをシックナーにより鉄粉スラッジのスラリーとされたものである。
【００３８】
本発明の鉄粉は、鉄粒子表面の酸化を防止するために、酸化防止剤を鉄粉水性懸濁液に添加することが好ましい。酸化防止剤としては、有機酸（例、アスコルビン酸（ビタミンＣ）、クエン酸、リンゴ酸、特にアスコルビン酸）及びこれらの塩を挙げることができ、その添加量は、鉄粉に対して０．０１〜１０質量％が一般的で、０．１〜３質量％が好ましい。
【００３９】
本発明の鉄粉水性懸濁液又は土壌浄化剤は、さらに鉄以外の金属でも、還元作用を有する金属であるＭｎ、Ｍｇ、Ｚｎ、Ａｌ、Ｔｉ等であれば併用することができる。
【００４０】
本発明の鉄粉水性懸濁液(鉄粉スラリー)は、上記鉄粉スラリーに、所望により酸化防止剤、金属ハロゲン化物又は水溶性ポリマー等を加えて、懸濁、あるいは分散させて得られるものである。更に適宜水を加えて所望の濃度にすることができる。また必要により分散時に界面活性剤を使用することもできる。
【００４１】
本発明の鉄粉又は鉄粉水性懸濁液と混合して使用されるモンモリロナイト系粘土鉱物水性懸濁液は、公知のモンモリロナイト系粘土鉱物を水(所望により前記の添加剤を含有してもよい)に分散させることにより得ることができる。モンモリロナイト系粘土鉱物水性懸濁液中のモンモリロナイト系粘土鉱物の含有量は、０．５〜１０質量％、特に１〜４質量％が好ましい。モンモリロナイト系粘土鉱物水性懸濁液と混合後の鉄粉水性懸濁液(すなわち、土壌に注入時の液) 中のモンモリロナイト系粘土鉱物の含有量は、０．３〜５質量％、特に０．５〜３．５質量％が好ましい。
【００４２】
本発明のモンモリロナイト系粘土鉱物は、モンモリロン石群鉱物又は合成モンモリロン石群鉱物を含むものである。モンモリロン石群鉱物としては、例えばモンモリロナイト（モンモリロン石）、バイデライト、サポナイト（サポー石）、ヘクトライト等を挙げることができる。モンモリロナイト、ヘクトライト、及びモンモリロナイトを主成分とするベントナイト、特にベントナイトが好ましい。また、合成モンモリロン石群鉱物として、合成スメクタイト、合成サポナイトが好ましい。
【００４３】
ベントナイト等の主成分であるモンモリロナイトは、層状ケイ酸塩鉱物の１種であるスメクタイトに分類される粘土鉱物で、結晶構造はケイ酸四面体層−アルミナ八面体層−ケイ酸四面体層の３層が積み重なっており、その単位層は厚さ約１０Å（１ｎｍ）、広がり０．１〜１μｍという極めて薄い板状になっている。アルミナ八面体層の中心原子であるＡｌの１部がＭｇに置換されることで陽電荷不足となり、各結晶層自体は負に帯電しているが、結晶層間にＮａ+・Ｋ+・Ｃａ2+・Ｍｇ2+などの陽イオンを挟むことにより電荷不足を中和し、モンモリロナイトは安定状態となる。このため、モンモリロナイトは結晶層が何層も重なり合った状態で存在している。層表面の負電荷及び層間陽イオンが色々な作用を起こすことによって、モンモリロナイトの特異的性質は発揮され、本発明では鉄粉水性懸濁液の増粘に利用している
【００４４】
市販のベントナイトとしては、クニミネ工業（株）製のクニピアＦを挙げることができ好ましい。市販の合成サポナイトとしては、クニミネ工業（株）製のスメクトンＳＡを挙げることができ好ましい。スメクトンＳＡは、サポナイト構造を有する合成無機高分子である。
【００４５】
モンモリロナイト系粘土鉱物の平均粒径は、１０〜１００μｍ、特に２０〜４０μｍが好ましい。この範囲で有効増粘効果が得られやすい。
【００４６】
本発明のモンモリロナイト系粘土鉱物水性懸濁液は、さらに当該懸濁液を増粘させることができる添加剤を含んでいることが好ましい。これにより、少量のベントナイトで大きな増粘効果を得ることができる。またベントナイトのｐＨを、鉄粉の浄化能力が大きくなる中性域にシフトすることもできる。好適な添加剤としては、ＦｅＣｌ２（塩化第一鉄）、ＦｅＣｌ３（塩化第二鉄）、ＦｅＳＯ４（硫酸第一鉄）、Ｆｅ２（ＳＯ４）３（硫酸第二鉄）、ＦｅＯ、ＦｅＳを挙げることができ、これらの中から１種又は２種以上組み合わせて使用することができる。特にＦｅＣｌ２、ＦｅＣｌ３、ＦｅＳＯ４、及びＦｅ２（ＳＯ４）３が好ましく、中でもＦｅＣｌ２、ＦｅＳＯ４が好ましい。
【００４７】
上記添加剤は、モンモリロナイト系粘土鉱物水性懸濁液に、０．０１〜０．５質量％（さらに０．０１〜０．２質量％、特に０．０２〜０．１質量％）となるように添加することが好ましい。
【００４８】
例えば、クニピアＦの２．５％の水性懸濁液の粘度は約２０ｍＰａ・ｓ（２５℃）であるが、増粘添加剤であるＦｅＣｌ２を０．０５質量％となるように添加すると、約２５０ｍＰａ・ｓ（２５℃）くらいに上昇し、またｐＨも６程度となり、大きな増粘効果を示すとともに高い浄化効果を示す（後述の実施例参照）。
【００４９】
土壌浄化剤を用いる本発明の汚染土壌の浄化方法は、上記鉄粉又は鉄粉水性懸濁液とモンモリロナイト系粘土鉱物水性懸濁液（土壌浄化剤）との混合物を、有機ハロゲン化物で汚染された土壌（地盤）に浸透するように付与することにより行われる。好ましくは、土壌浄化剤の浸透を、土壌浄化剤を散布することにより行う方法（１）；有機ハロゲン化物で汚染された土壌に、上記の土壌浄化剤を供給するための注入管を挿入し、該土壌浄化剤をその注入管に注入することからなる方法（２）；及び上記の土壌浄化剤を、地盤改良用の施工機械で土壌中に供給し、土壌浄化剤と土壌とを撹拌・混合することからなる方法（３）を挙げることができる。
【００５０】
上記方法（２）は、例えば図１に示すように下記のように行うことができる。
【００５１】
汚染土壌は一般に砂礫層（透水層）１とその下部にある粘土層（不透水層）２からなり、この汚染土壌に、有機ハロゲン化物で汚染された表面にボーリングにより土壌浄化剤３を供給するための注入孔４を設ける。注入孔４は必要により間隔を隔てて複数設けることができる。土壌浄化剤をポンプにより注入孔４に圧入する。注入孔４周囲に設けられた多数の穴から汚染土壌内に土壌浄化剤が矢印の方向に注入され、鉄粉が汚染土壌内に浸透し、有機ハロゲン化物と徐々に接触し、有機ハロゲン化物を分解除去する。
【００５２】
注入孔４で注入する前に、注入孔４から地下水を排出し、その後土壌浄化剤を注入しても良い。注入液が土壌表面からあふれ出ないように土壌表面に不透水性シート（例、ベントナイトシート）で覆っても良い。あるいは土壌内にシートを埋め込んでも良い。
【００５３】
そして、浄化処理は、例えば、注入孔４を通して排水し、注入管から本発明の洗浄剤を注入し、必要により減圧して、洗浄剤の拡散と、鉄による還元作用により発生する物質を除去することができる。
【００５４】
上記の方法のように、有機ハロゲン化物で汚染された土壌の表面を、不通気性のシートで覆うこと（一般に、シートの覆いは浄化剤注入後に設置される）が好ましく、必要により通気性柱状部（上記発生物質の除去に有用）を設けることができる。
【００５５】
有機ハロゲン化物以外の汚染物質で汚染された土壌も、上記と同様に行うことができる。また、汚染された土壌（特に６価クロムで汚染された土壌）を、土壌掘削法により掘削土壌を反応槽等に投入して本発明の土壌浄化剤で処理することもでき、そして、処理したクロム化合物等を除去することも有利な場合がある。
【００５６】
土壌に注入する土壌浄化剤中の鉄粉の濃度は前述のように０．１〜５０質量％であり、５〜３０質量％が好ましい。また注入量は、一般に土壌１ｍ3当たり鉄粉５〜２５０ｋｇであり、１０〜１５０ｋｇが好ましい。
【００５７】
また、上記土壌浄化剤の注入は、鉄粉の水性懸濁液の注入、及び所望により使用される親水性バインダー等を含有する水性懸濁液の注入を分けて行っても良い。
【実施例】
【００５８】
［実施例１］
（ａ）モンモリロナイト系粘土鉱物水性懸濁液
モンモリロナイト系粘土鉱物として、クニピアＦ（クニミネ工業（株）製）、及びスメクトンＳＡ（クニミネ工業（株）製）を用い、下記表１、２に示す濃度（質量％）となるように、蒸留水５００ｍｌ中にマグネチックスターラーで撹拌しながら添加し、モンモリロナイト系粘土鉱物水性懸濁液を作製した。
得られた水性懸濁液の粘度を、Ｂ型粘度計（ＢＭＩＩ、東機産業（株）製、回転数６０ｒｐｍ）を用いて２５℃で測定した。
【００５９】
【表１】
0006359891.tif 000002
【００６０】
【表２】
0006359891.tif 000003
【００６１】
上記表１及び表２に示した各増粘剤の濃度に対する粘度のグラフを図２に示す。
【００６２】
［実施例２］
（ａ）モンモリロナイト系粘土鉱物水性懸濁液
モンモリロナイト系粘土鉱物として、クニピアＦ（クニミネ工業（株）製）を用い、２．５質量％のモンモリロナイト系粘土鉱物水性懸濁液を作製した。この懸濁液に、下記表３〜１０の質量％となるように下記表３〜１０の添加剤を添加して混合し、添加剤入りモンモリロナイト系粘土鉱物水性懸濁液を作製した。
【００６３】
得られた水性懸濁液のｐＨ、粘度を測定した。ｐＨをｐＨメーター（Ｄ−５０、（株）堀場製作所製）を用いて、粘度をＢ型粘度計（ＢＭＩＩ、東機産業（株）製、回転数６０ｒｐｍ）を用いて２５℃で測定した。
【００６４】
【表３】
0006359891.tif 000004
【００６５】
【表４】
0006359891.tif 000005
【００６６】
【表５】
0006359891.tif 000006
【００６７】
【表６】
0006359891.tif 000007
【００６８】
【表７】
0006359891.tif 000008
【００６９】
【表８】
0006359891.tif 000009
【００７０】
【表９】
0006359891.tif 000010
【００７１】
【表１０】
0006359891.tif 000011
【００７２】
上記表３〜１０のクニピアＦの濃度が２．５質量％における、各添加剤の濃度と粘度の関係を示すグラフを図３に示す。
【００７３】
上記表３〜１０のクニピアＦの濃度が２．５質量％における、各添加剤を添加したモンモリロナイト系粘土鉱物水性懸濁液（添加剤調製時）のｐＨと粘度の関係を示すグラフを図４に示す。
【００７４】
図３及び図４から明らかなように、増粘効果及びｐＨの低下の効果がともに優れているのは、塩化第一鉄、塩化第二鉄、硫酸第一鉄であり、塩酸、硫酸はｐＨが増粘とともに大きく低下するので好ましくない。
【００７５】
［実施例３］
（ａ）モンモリロナイト系粘土鉱物水性懸濁液
モンモリロナイト系粘土鉱物として、クニピアＦ（クニミネ工業（株）製）を用い、１．０質量％、１．５質量％、２．５質量％のモンモリロナイト系粘土鉱物水性懸濁液を作製した。この懸濁液に、下記表１１〜１３の質量％となるように塩化第一鉄を添加して混合し、添加剤入りモンモリロナイト系粘土鉱物水性懸濁液を作製し、また、この懸濁液に、下記表１４〜１６の質量％となるように硫酸第一鉄を添加して混合し、添加剤入りモンモリロナイト系粘土鉱物水性懸濁液を作製した。
【００７６】
得られた水性懸濁液のｐＨ、粘度を測定した。ｐＨをｐＨメーター（Ｄ−５０、（株）堀場製作所製）を用いて、粘度をＢ型粘度計（ＢＭＩＩ、東機産業（株）製、回転数６０ｒｐｍ）を用いて２５℃で測定した。
【００７７】
【表１１】
0006359891.tif 000012
【００７８】
【表１２】
0006359891.tif 000013
【００７９】
【表１３】
0006359891.tif 000014
【００８０】
【表１４】
0006359891.tif 000015
【００８１】
【表１５】
0006359891.tif 000016
【００８２】
【表１６】
0006359891.tif 000017
【００８３】
上記表１１〜１３のクニピアＦの濃度が１．０質量％、１．５質量％、２．５質量％における、塩化第一鉄の濃度と粘度の関係を示すグラフを図５に示す。
【００８４】
上記表１４〜１６のクニピアＦの濃度が１．０質量％、１．５質量％、２．５質量％における、硫酸第一鉄の濃度と粘度の関係を示すグラフを図６に示す。
【００８５】
図５及び図６から明らかなように、クニピアＦの濃度が１．５質量％以上で、特に優れた増粘効果が得られる。
【００８６】
［実施例４］
（ａ）鉄粉水性懸濁液
鉄粉（商品名：鉄、粉末−１５０μｍ、９９．９％；粒径：９９．９％が１５０μｍ以下、和光純薬（株）製）４００ｇに、蒸留水１Ｌを添加し、撹拌して、４０質量％の鉄粉水性懸濁液を得た。
【００８７】
上記鉄粉水性懸濁液と、クニピアＦ又はクニピアＦと添加剤の懸濁液を用いて下記のように試料を作製した。
【００８８】
（１）ＴＣＥ（トリクロロエチレン）５ｍｇ／Ｌ、
（２）ＴＣＥ５ｍｇ／Ｌ＋鉄粉５０ｇ／Ｌ（８ｍｌのＴＣＥ５０ｍｇ/Ｌと、１０ｍｌの鉄粉水性懸濁液を混合して、８０ｍｌにメスアップして作製）
（３）ＴＣＥ５ｍｇ／Ｌ＋クニピアＦ４．３ｇ／Ｌ（８ｍｌのＴＣＥ５０ｍｇ／Ｌと、１０ｍｌのクニピアＦ３５ｇ／Ｌ（粘度（２５℃）２１０ｍＰａ・ｓ）とを混合して、８０ｍｌにメスアップして作製）
（４）ＴＣＥ５ｍｇ／Ｌ＋鉄粉５０ｇ／Ｌ＋クニピアＦ４．３ｇ／Ｌ（８ｍｌのＴＣＥ５０ｍｇ／Ｌと、１０ｍｌの鉄粉４００ｇ／Ｌ＋クニピアＦ３５ｇ／Ｌ（粘度（２５℃）２６０ｍＰａ・ｓ）とを混合して、８０ｍｌにメスアップして作製）
（５）ＴＣＥ５ｍｇ／Ｌ＋鉄粉５０ｇ／Ｌ＋クニピアＦ３．１ｇ／Ｌ＋塩化第一鉄０．０３８ｇ／Ｌ（８ｍｌのＴＣＥ５０ｍｇ／Ｌと、１０ｍｌの鉄粉４００ｇ／Ｌ＋クニピアＦ２５ｇ／Ｌ＋塩化第一鉄０．３ｇ／Ｌ（粘度（２５℃）３５０ｍＰａ・ｓ）とを混合して、８０ｍｌにメスアップして作製）
（６）ＴＣＥ５ｍｇ／Ｌ＋鉄粉５０ｇ／Ｌ＋クニピアＦ３．１ｇ／Ｌ＋塩化第二鉄０．０３１ｇ／Ｌ（８ｍｌのＴＣＥ５０ｍｇ／Ｌと、１０ｍｌの鉄粉４００ｇ／Ｌ＋クニピアＦ２５ｇ／Ｌ＋塩化第二鉄０．２５ｇ／Ｌ（粘度（２５℃）３００ｍＰａ・ｓ）とを混合して、８０ｍｌにメスアップして作製）
（７）ＴＣＥ５ｍｇ／Ｌ＋鉄粉５０ｇ／Ｌ＋クニピアＦ３．１ｇ／Ｌ＋硫酸第一鉄０．０６２５ｇ／Ｌ（８ｍｌのＴＣＥ５０ｍｇ／Ｌと、１０ｍｌの鉄粉４００ｇ／Ｌ＋クニピアＦ２５ｇ／Ｌ＋硫酸第一鉄０．５ｇ／Ｌ（粘度（２５℃）２９０ｍＰａ・ｓ）とを混合して、８０ｍｌにメスアップして作製
（８）ＴＣＥ５ｍｇ／Ｌ＋鉄粉５０ｇ／Ｌ＋クニピアＦ３．１ｇ／Ｌ＋硫酸第二鉄０．０６２５ｇ／Ｌ（８ｍｌのＴＣＥ５０ｍｇ／Ｌと、１０ｍｌの鉄粉４００ｇ／Ｌ＋クニピアＦ２５ｇ／Ｌ＋硫酸第二鉄０．５ｇ／Ｌを混合して（粘度（２５℃）２７５ｍＰａ・ｓ）、８０ｍｌにメスアップして作製）
【００８９】
【表１７】
0006359891.tif 000018
【００９０】
上記表１７の各浄化液による、ＴＣＥ濃度の経過日数に対する変化を示すグラフを図７に示す。
【００９１】
上記表１７の結果及び図７から、本発明の鉄粉とモンモリロナイト系粘土鉱物の組合せで、ＴＣＥに優れた浄化作用を示し、さらに添加剤を加えることによりその浄化作用はより一層向上することがわかる。
【符号の説明】
【００９２】
１  砂礫層（透水層）
２  粘土層（不透水層）
３  土壌浄化剤
４  注入孔
【図１】
0006359891.tif 000019
【図２】
0006359891.tif 000020
【図３】
0006359891.tif 000021
【図４】
0006359891.tif 000022
【図５】
0006359891.tif 000023
【図６】
0006359891.tif 000024
【図７】
0006359891.tif 000025